(57)【要約】  【課題】  光学性能が良好で低コスト・コンパクトな固体撮像素子用の撮像レンズを提供する。  【解決手段】  固体撮像素子に像を形成するレンズ３枚構成の撮像レンズであって、物体側から順に、物体側に凸面を向けた正の第１レンズ(FL1)，開口絞り(ST)，負の第２レンズ(FL2)，負の第３レンズ(FL3)で構成され、条件式：-0.23＜f／f2＜-0.02[f：全系の焦点距離、f2：第２レンズ(FL1)の焦点距離]を満足する。【選択図】      図１
2006098429.tif 000002
【特許請求の範囲】
【請求項１】
固体撮像素子に像を形成するレンズ３枚構成の撮像レンズであって、物体側から順に、物体側に凸面を向けた、正のパワーを有する第１レンズと、開口絞りと、負のパワーを有する第２レンズと、負のパワーを有する第３レンズとで構成され、以下の条件式(A0)を満足することを特徴とする撮像レンズ；
-0.23＜f／f2＜-0.02  ・・・(A0)
ただし、
f：全系の焦点距離、
f2：第２レンズの焦点距離、
である。
【請求項２】
固体撮像素子に像を形成するレンズ３枚構成の撮像レンズであって、物体側から順に、物体側に凸面を向けた正の第１レンズと、開口絞りと、負の第２レンズと、負の第３レンズとで構成され、以下の条件式(A1)を満足することを特徴とする請求項１に記載の撮像レンズ；
-0.09＜f／f3＜-0.01  ・・・(A1)
ただし、
f：全系の焦点距離、
f3：第３レンズの焦点距離、
である。
【請求項３】
固体撮像素子に像を形成するレンズ３枚構成の撮像レンズであって、物体側から順に、物体側に凸面を向けた正の第１レンズと、開口絞りと、負の第２レンズと、負の第３レンズとで構成され、以下の条件式(A2)を満足することを特徴とする請求項１又は請求項２に記載の撮像レンズ；
0.4＜｜r4｜／f＜5  ・・・(A2)
ただし、
r4：第２レンズの物体側の曲率半径、
f：全系の焦点距離、
である。
【請求項４】
固体撮像素子に像を形成するレンズ３枚構成の撮像レンズであって、物体側から順に、物体側に凸面を向けた正の第１レンズと、開口絞りと、負の第２レンズと、負の第３レンズとで構成され、以下の条件式(A3)を満足することを特徴とする請求項１〜請求項３のいずれかに記載の撮像レンズ；
0.21＜ta／f＜0.51  ・・・(A3)
ただし、
ta：第１レンズの像面側から第２レンズの物体側面までの軸上厚み、
f：全系の焦点距離、
である。
【請求項５】
前記第２レンズは、物体側に凹面を向けた負レンズで構成され、前記第３レンズは像面側に凹面を向けた負レンズで構成されることを特徴とする請求項１〜請求項４のいずれかに記載の撮像レンズ
【請求項６】
前記全てのレンズのうち少なくとも１面が非球面で構成されることを特徴とする請求項１〜請求項５のいずれかに記載の撮像レンズ
【発明の詳細な説明】
【技術分野】
【０００１】
本発明は小型の撮像レンズ系に関するものであり、更に詳しくは、被写体の映像を固体撮像素子で取り込むデジタル入力機器(デジタルスチルカメラ，デジタルビデオカメラ等)に適した、高性能でコンパクトな固体撮像素子用撮像レンズに関するものである。
【背景技術】
【０００２】
近年、パーソナルコンピュータ等の普及に伴い、手軽に画像情報をデジタル機器に取り込むことができるデジタルスチルカメラ、デジタルビデオカメラ等（以下、単に「デジタルカメラ」という）が、個人ユーザレベルで普及しつつある。このようなデジタルカメラは、今後も画像情報の入力機器として益々普及することが予想される。
【０００３】
また、デジタルカメラに搭載されるＣＣＤ(Charge Coupled Device)等の固体撮像素子の小型化が進展してきており、それに伴ってデジタルカメラにも一層の小型化が求められている。このため、デジタル入力機器において最大の容積を占める撮像レンズにも、コンパクト化が強く要望されている。撮像レンズを小型化するには固体撮像素子のサイズを小さくするのが最も容易な方法ではあるが、そのためには受光素子のサイズを小さくする必要があり、固体撮像素子の製造難易度が上がるとともに撮像レンズに要求される性能も高くなる。
【０００４】
一方、固体撮像素子のサイズをそのままにして撮像レンズのサイズを小さくすると、必然的に射出瞳位置が像面に近づいてしまう。射出瞳位置が像面に近づくと、撮像レンズから射出された軸外光束が像面に対して斜めに入射するため、固体撮像素子の前面に設けられているマイクロレンズの集光性能が十分に発揮されず、画像の明るさが画像中央部と画像周辺部とで極端に変化するという問題が生じることになる。この問題を解決するために撮像レンズの射出瞳位置を遠くに離そうとすると、どうしても撮像レンズ全体の大型化が避けられなくなる。
【０００５】
さらに近年の低価格化競争のため、撮像レンズにも低コスト化の要望が強くなってきている。また、近年の固体撮像素子の高密度化により、撮像レンズにより高い性能が要求されている。以上のような要望に対し、レンズ３枚で構成された固体撮像素子用の撮像レンズが特許文献１〜６で提案されている。
【０００６】
しかしながら、上記特許文献１〜６に開示されている３枚構成の撮像レンズは、いずれも２枚の正レンズと１枚の負レンズで構成されているため、コンパクト化に対して不利であった。
【特許文献１】特開２００３−３２２７９２号公報
【特許文献２】特開２００４−１６３７８６号公報
【特許文献３】特開２００４−１６３８４９号公報
【特許文献４】特開２００４−１６３８５０号公報
【特許文献５】特開２００４−１６３８５１号公報
【特許文献６】特許第３５２１３３２号
【発明の開示】
【発明が解決しようとする課題】
【０００７】
本発明はこのような状況に鑑みてなされたものであって、光学特性が良好で低コスト且つ高性能でコンパクトな固体撮像素子用撮像レンズを提供することを目的とする。
【課題を解決するための手段】
【０００８】
上記目的を達成するために、第１の発明の撮像レンズは、固体撮像素子に像を形成するレンズ３枚構成の撮像レンズであって、物体側から順に、物体側に凸面を向けた、正のパワーを有する第１レンズと、開口絞りと、負のパワーを有する第２レンズと、負のパワーを有する第３レンズとで構成され、以下の条件式(A1)を満足することを特徴とする。
-0.23＜f／f2＜-0.02  ・・・(A0)
ただし、
f：全系の焦点距離、
f2：第２レンズの焦点距離、
である。
【０００９】
第２の発明の撮像レンズは、上記第１の発明の構成において、固体撮像素子に像を形成するレンズ３枚構成の撮像レンズであって、物体側から順に、物体側に凸面を向けた正の第１レンズと、開口絞りと、負の第２レンズと、負の第３レンズとで構成され、以下の条件式(A1)を満足することを特徴とする。
-0.09＜f／f3＜-0.01  ・・・(A1)
ただし、
f：全系の焦点距離、
f3：第３レンズの焦点距離、
である。
【００１０】
第３の発明の撮像レンズは、上記第１又は第２の発明の構成において、固体撮像素子に像を形成するレンズ３枚構成の撮像レンズであって、物体側から順に、物体側に凸面を向けた正の第１レンズと、開口絞りと、負の第２レンズと、負の第３レンズとで構成され、以下の条件式(A2)を満足することを特徴とする。
0.4＜｜r4｜／f＜5  ・・・(A2)
ただし、
r4：第２レンズの物体側の曲率半径、
f：全系の焦点距離、
である。
【００１１】
第４の発明の撮像レンズは、上記第１，第２又は第３の発明の構成において、固体撮像素子に像を形成するレンズ３枚構成の撮像レンズであって、物体側から順に、物体側に凸面を向けた正の第１レンズと、開口絞りと、負の第２レンズと、負の第３レンズとで構成され、以下の条件式(A3)を満足することを特徴とする。
0.21＜ta／f＜0.51  ・・・(A3)
ただし、
ta：第１レンズの像面側から第２レンズの物体側面までの軸上厚み、
f：全系の焦点距離、
である。
【００１２】
第５の発明の撮像レンズは、上記第１，第２，第３又は第４の発明の構成において、前記第２レンズは、物体側に凹面を向けた負レンズで構成され、前記第３レンズは像面側に凹面を向けた負レンズで構成されることを特徴とする。
【００１３】
第６の発明の撮像レンズは、上記第１，第２，第３，第４又は第５の発明の構成において、前記全てのレンズのうち少なくとも１面が非球面で構成されることを特徴とする。
【発明の効果】
【００１４】
本発明によれば、固体撮像素子に像を形成する撮像レンズが、物体側から順に、物体側に凸面を向けた、正のパワーを有する第１レンズと、開口絞りと、負のパワーを有する第２レンズと、負のパワーを有する第３レンズから成る３枚のレンズで構成され、条件式(A0)〜(A3)を満たした光学配置になっているため、光学性能が良好で低コストかつコンパクトな固体撮像素子用の撮像レンズを実現することができる。そして、本発明に係る撮像レンズを携帯電話搭載のカメラやデジタルカメラ等のデジタル入力機器に用いれば、当該機器の高性能化，高機能化，低コスト化及びコンパクト化に寄与することができる。
【発明を実施するための最良の形態】
【００１５】
以下、本発明に係る撮像レンズの実施の形態を、図面を参照しつつ説明する。なお、本明細書において「パワー」とは、焦点距離の逆数で定義される量を表す。図１、図２に、第１及び第２実施形態の撮像レンズ構成をそれぞれ光学断面で示す。各実施形態の撮像レンズはいずれも、固体撮像素子(例えばＣＣＤ)に対して光学像を形成する撮像用(例えばデジタルカメラ用)の単焦点レンズであって、物体側から順に、正の第１レンズ(FL1)、開口絞り(ST)、負の第２レンズ(FL2)及び負の第３レンズ(FL3)のレンズ３枚構成になっている。また第３レンズ(FL3)の像側には、光学的ローパスフィルター等に相当する平行平面板状のガラスフィルター(GF)が配置されている。
【００１６】
更に詳しくは、第１レンズ(FL1)は、物体側に凸面を向けたメニスカス形状で、正のパワーを有するレンズ、第２レンズ(FL2)は、物体側に凹面を向けたメニスカス形状で、負のパワーを有するレンズ、第３レンズ(FL3)は、像面側に凹面を向けたメニスカス形状で、負のパワーを有するレンズである。
【００１７】
次に、各実施形態の撮像レンズ系が満足すべき条件式範囲について説明する。ただし、以下に説明する全ての条件式を同時に満たす必要はなく、個々の条件式を光学構成に応じてそれぞれ単独に満足すれば、対応する作用・効果を達成することは可能である。もちろん、複数の条件式を満足する方が、光学性能，小型化，組立等の観点からより望ましいことはいうまでもない。
【００１８】
第１及び第２実施形態では、第２レンズ(FL2)が弱いパワーを有しているが、そのパワーは以下の条件式(A0)を満足するものであることが望ましく、なかでも以下の条件式(A01)を満足することが更に望ましい。
-0.23＜f／f2＜-0.02  ・・・(A0)
-0.23＜f／f2＜-0.11  ・・・(A01)
ただし、
f：全系の焦点距離、
f2：第２レンズ(FL2)の焦点距離、
である。
【００１９】
条件式(A0)、(A01)は、第２レンズ(FL2)に関して、主に光学系の全長と収差をバランスさせるための条件範囲を規定している。条件式(A0)の上限を超えると、収差補正には有利であるが、光学系の全長の増大を招く。逆に、条件式(A0)の下限を超えると、光学系の全長の短縮には有利となるが、収差劣化、特に歪曲収差と像面湾曲の劣化が顕著になる。
【００２０】
第３レンズ(FL3)に関しては、以下の条件式(A1)を満足することが望ましく、前記条件式(A0)或いは(A01)と共に満足することが更に望ましい。
-0.09＜f／f3＜-0.01  ・・・(A1)
ただし、
f：全系の焦点距離、
f3：第３レンズ(FL3)の焦点距離、
である。
【００２１】
条件式(A1)は、第３レンズ(FL3)に関して、主に光学系の全長と収差をバランスさせるための条件範囲を規定している。条件式(A1)の上限を超えると、収差補正には有利であるが、光学系の全長の増大を招く。逆に、条件式(A1)の下限を超えると、光学系の全長の短縮には有利となるが、収差劣化、特に歪曲収差と像面湾曲の劣化が顕著になる。
【００２２】
また、第２レンズ(FL2)に関しては、以下の条件式(A2)を満足することが望ましく、なかでも以下の条件式(A21)を満足することが更に望ましい。また、前記条件式(A0)、(A01)、(A1)のうちの少なくとも１つと共に満足することが更に望ましい。
0.4＜｜r4｜／f＜5  ・・・(A2)
0.5＜｜r4｜／f＜3  ・・・(A21)
ただし、
r4：第２レンズの物体側の曲率半径、
f：全系の焦点距離、
である。
【００２３】
条件式(A2)、(A21)は、第２レンズ(FL2)に関して、主に射出瞳位置と歪曲収差をバランスさせるための条件範囲を規定している。条件式(A2)の下限を超えると、射出瞳位置には有利であるが、歪曲収差の劣化が著しくなる。逆に、条件式(A2)の上限を超えると、歪曲収差には有利となるが、射出瞳位置に不利となり、固体撮像素子用撮像レンズとしては好ましくない。
【００２４】
第１、第２レンズ(FL1,FL2)に関しては、以下の条件式(A3)を満足することが望ましく、なかでも以下の条件式(A31)を満足することが更に望ましい。また、前記条件式(A0)、(A01)、(A1)、(A2)、(A21)のうちの少なくとも１つと共に満足することが更に望ましい。
0.21＜ta／f＜0.51  ・・・(A3)
0.21＜ta／f＜0.31  ・・・(A31)
ただし、
ta：第１レンズの像面側から第２レンズの物体側面までの軸上厚み、
f：全系の焦点距離、
である。
【００２５】
条件式(A3)、(A31)は、第１レンズ(FL1)の像面側から第２レンズ(FL2)の物体側面までの軸上厚みに関して、主に射出瞳位置と歪曲収差をバランスさせるための条件範囲を規定している。条件式(A3)の上限を超えると、射出瞳位置には有利であるが、歪曲収差の劣化が著しくなる。逆に、条件式(A3)の上限を超えると、歪曲収差には有利となるが、射出瞳位置に不利となり、固体撮像素子用撮像レンズとしては好ましくない。
【００２６】
また、本発明の撮像レンズは、全てのレンズのうち少なくとも１面が非球面であることが望ましい。各レンズ(FL1〜FL3)に非球面を少なくとも１面用いることは、球面収差、コマ収差及び歪曲収差の補正に大きな効果がある。
【００２７】
第１及び第２実施形態の撮像レンズは、入射光線を屈折により偏向させる屈折型レンズ(つまり、異なる屈折率を有する媒質同士の界面で偏向が行われるタイプのレンズ)のみで構成されているが、これに限らない。例えば、回折により入射光線を偏向させる回折型レンズ、回折作用と屈折作用との組み合わせで入射光線を偏向させる屈折・回折ハイブリッド型レンズ、入射光線を媒質内の屈折率分布により偏向させる屈折率分布型レンズ等を用いてもよい。ただし、媒質内で屈折率が変化する屈折率分布型レンズは、その複雑な製法がコストアップを招くため、本発明に係る撮像レンズでは第１〜第３レンズ(FL1〜FL3)として均質素材レンズを用いることが望ましい。
【００２８】
また、本発明の撮像レンズのうち、第３レンズ(FL3)の像面側は非球面であり、レンズ中心から周辺に向かって負のパワーが次第に弱まり、周辺部で正のパワーを有することが望ましい。これは、光学系の全長をコンパクトにしながら射出瞳位置を遠くすることに効果がある。
【００２９】
また、開口絞り(ST)の他に、不要光をカットするための光束規制板等を必要に応じて配置してもよく、プリズム類（例えば直角プリズム）、ミラー類（例えば平面ミラー）等を光路中に配置することにより、その光学的なパワーを有しない面（例えば、反射面、屈折面、回折面）で撮像レンズの前，後又は途中で光路を折り曲げてもよい（例えば、光軸(AX)を約９０度折り曲げるようにして光束を反射させてもよい。）。その折り曲げ位置は必要に応じて設定すればよく、光路の適正な折り曲げにより、撮像レンズが搭載されるデジタル入力機器（デジタルカメラ等）の見かけ上の薄型化やコンパクト化を達成することが可能である。
【００３０】
第１及び第２実施形態の撮像レンズは、デジタル入力機器用の小型撮像レンズとしての使用に適しており、これを光学的ローパスフィルターや固体撮像素子と組み合わせることにより、被写体の映像を光学的に取り込んで電気的な信号として出力する撮像レンズ装置を構成することができる。撮像レンズ装置は、被写体の静止画撮影や動画撮影に用いられるカメラ｛例えば、デジタルカメラ，ビデオカメラ，デジタルビデオユニット，パーソナルコンピュータ，モバイルコンピュータ，ペン型スキャナー，携帯電話，携帯情報端末(ＰＤＡ：Personal Digital Assistant)，これらの周辺機器(マウス，スキャナー，プリンター，その他のデジタル入出力機器)等に内蔵又は外付けされるカメラ｝の主たる構成要素であり、例えば、物体(被写体)側から順に、物体の光学像を形成する撮像レンズと、光学的ローパスフィルター，赤外カットフィルター等の光学フィルターと、撮像レンズにより形成された光学像を電気的な信号に変換する固体撮像素子とで構成される。
【００３１】
従って、上述した第１及び第２実施形態には以下の構成を有する発明（１）〜（３）が含まれており、その構成により、良好な光学性能を有し低コストでコンパクトな撮像レンズ装置を実現することができる。そして、これをデジタルカメラ等に適用すれば、当該カメラの高性能化，高機能化，低コスト化及びコンパクト化に寄与することができる。
【００３２】
（１）光学像を形成する撮像レンズと、その撮像レンズにより形成された光学像を電気的な信号に変換する固体撮像素子と、を備えた撮像レンズ装置であって、前記撮像レンズが、物体側から順に、物体側に凸面を向けた正の第１レンズと、開口絞りと、負の第２レンズと、負の第３レンズと、のレンズ３枚で構成され、前記条件式(A0)、(A01)、(A1)、(A2)、(A21)、(A3)、(A31)のうちの少なくとも１つを満足することを特徴とする撮像レンズ装置。
【００３３】
（２）前記第２レンズが、物体側に凹面を向けた負レンズで構成され、前記第３レンズは像面側に凹面を向けた負レンズで構成されることを特徴とする上記（１）記載の撮像レンズ装置。
（３）前記第１〜第３レンズのうち少なくとも１面が非球面で構成されることを特徴とする上記（１）又は（２）記載の擦像レンズ装置。
【００３４】
固体撮像素子としては、例えば複数の画素から成るＣＣＤやＣＭＯＳ(Complementary Metal Oxide Semiconductor)センサー等が用いられ、撮像レンズにより形成された光学像は固体撮像素子により電気的な信号に変換される。撮像レンズで形成されるべき光学像は、固体撮像素子の画素ピッチにより決定される所定の遮断周波数特性を有する光学的ローパスフィルターを通過することにより、電気的な信号に変換される際に発生するいわゆる折り返しノイズが最小化されるように、空間周波数特性が調整される。固体撮像素子で生成した信号は、必要に応じて所定のデジタル画像処理や画像圧縮処理等が施されて、デジタル映像信号としてメモリー(半導体メモリー，光ディスク等)に記録されたり、場合によってはケーブルを介したり赤外線信号に変換されたりして他の機器に伝送される。
【００３５】
なお、撮像レンズの最終面と固体撮像素子との間に配置される光学的ローパスフィルターは、第１及び第２実施形態ではガラスフィルター(GF)で構成されているが、使用されるデジタル入力機器に応じたものであればよい。例えば、所定の結晶軸方向が調整された水晶等を材料とする複屈折型ローパスフィルターや、必要とされる光学的な遮断周波数の特性を回折効果により達成する位相型ローパスフィルター等が適用可能である。
【実施例】
【００３６】
以下、本発明を実施した撮像レンズを、コンストラクションデータ等を挙げて更に具体的に説明する。ここで挙げる実施例１〜２は、前述した第１及び第２実施形態にそれぞれ対応しており、第１及び第２実施形態を表すレンズ構成図（図１、図２）は、対応する実施例１〜２のレンズ構成をそれぞれ示している。各実施例のコンストラクションデータにおいて、ri(i=1,2,3,...)は物体側から数えてi番目の面の曲率半径(mm)、di(i=1,2,3,...)は物体側から数えてi番目の軸上面間隔(mm)を示しており、Σdは光学系の全長(mm)を示している。Ni(i=1,2,3,...),νi(i=1,2,3,...)は物体側から数えてi番目の光学要素のｄ線に対する屈折率(Nd)、アッベ数(νd)を示している。全系の焦点距離(f,mm)及びＦナンバー(FNO)を他のデータとあわせて示し、また、各条件式の対応値を表１に示す。
【００３７】
さらに、各実施例中、曲率半径riに*印が付された面は、非球面形状の屈折光学面であることを示し、非球面の面形状を表わす以下の式(AS)で定義されるものとする。各実施例の非球面データを他のデータとあわせて示す。
X(H)＝(C・H2)／[1+√(1-ε・C2・H2)]＋Σ(Ai・Hi) ・・・(AS)
ただし、式(AS)中、
X(H)：高さHの位置での光軸(AX)方向の変位量(面頂点基準)、
H：光軸(AX)に対して垂直な方向の高さ、
C：近軸曲率(=1／曲率半径)、
ε：２次曲面パラメータ、
Ai：i次の非球面係数、
である。
【００３８】
図３、図４は、実施例１〜２に対応する収差図であり、各収差図中、（Ａ）は球面収差図，（Ｂ）は非点収差図，（Ｃ）は歪曲収差図である。球面収差図において、実線(d)はｄ線、一点鎖線(g)はｇ線、二点鎖線(c)はｃ線に対する各球面収差量(mm)を表しており、破線(SC)は正弦条件不満足量(mm)を表している。また、球面収差図（Ａ）の縦軸はＦナンバー(FNO)，非点収差図（Ｂ）及び歪曲収差図（Ｃ）の縦軸は最大像高Y' (mm)を表す。非点収差図において、破線(DM)はメリディオナル面でのｄ線に対する非点収差(mm)を表しており、実線(DS)はサジタル面でのｄ線に対する非点収差(mm)を表わしている。また、歪曲収差図において実線はｄ線に対する歪曲(％)を表している。
【００３９】
《実施例１》
f=5.470, FNO=4.0
［面］［曲率半径］［軸上面間隔］  ［屈折率］  ［アッベ数］
s1    r1*=2.611
d1=1.021     N1=1.67000    ν1=57.07(FL1)
s2    r2*=8.247
d2=0.261
s3    r =∞(ST)
d3=1.110
s4    r4*=-3.470
d4=0.913     N2=1.53048    ν2=55.72(FL2)
s5    r5*=-4.569
d5=0.307
s6    r6*=2.124
d6=0.877     N3=1.58340    ν3=30.23(FL3)
s7    r7*=1.708
d7=0.900
s8    r8=∞
d8=0.500     N4=1.51680    ν4=64.20(GF)
s9    r9=∞
Σd=5.889
【００４０】
［第１面（s1）の非球面データ］
ε=0.24691
A2=0.0, A3=0.0，A4=-0.17737×10-2, A5=0.0, A6=0.12774×10-2, A7=0.0, A8=-0.28811×10-3, A9=0.0, A10=-0.28254×10-3, A11=0.0，A12=0.0，A13=0.0，A14=0.0，A15=0.0，A16=0.0
［第２面（s2）の非球面データ］
ε=-12.575
A2=0.0, A3=0.0，A4=-0.95444×10-2, A5=0.0, A6=0.92656×10-3, A7=0.0, A8=0.55284×10-2, A9=0.0, A10=-0.84266×10-2, A11=0.0，A12=0.0，A13=0.0，A14=0.0，A15=0.0，A16=0.0
［第４面（s4）の非球面データ］
ε=0.0
A2=0.0, A3=0.0，A4=0.21610×10-1, A5=0.0, A6=-0.53855×10-1, A7=0.0, A8=0.50367×10-2, A9=0.0, A10=-0.67374×10-2, A11=0.0，A12=0.0，A13=0.0，A14=0.0，A15=0.0，A16=0.0
［第５面（s5）の非球面データ］
ε=1.3654
A2=0.0, A3=0.0，A4=-0.57722×10-2, A5=0.0, A6=-0.27146×10-2, A7=0.0, A8=-0.21044×10-2, A9=0.0, A10=0.53508×10-3, A11=0.0，A12=0.0，A13=0.0，A14=0.0，A15=0.0，A16=0.0
［第６面（s6）の非球面データ］
ε=-2.9971
A2=0.0, A3=0.0，A4=-0.65084×10-1, A5=0.0, A6=0.12068×10-1, A7=0.0, A8=-0.92597×10-3, A9=0.0, A10=0.26686×10-4, A11=0.0，A12=0.0，A13=0.0，A14=0.0，A15=0.0，A16=0.0
［第７面（s7）の非球面データ］
ε=-3.5789
A2=0.0, A3=0.0，A4=-0.39513×10-1, A5=0.0, A6=0.49581×10-2, A7=0.0, A8=-0.34675×10-3, A9=0.0, A10=0.11619×10-4, A11=0.0，A12=0.0，A13=0.0，A14=0.0，A15=0.0，A16=0.0
【００４１】
《実施例２》
f=5.472, FNO=4.0
［面］［曲率半径］［軸上面間隔］  ［屈折率］  ［アッベ数］
s1    r1*=2.632
d1=1.008     N1=1.67000    ν1=57.07(FL1)
s2    r2*=8.093
d2=0.261
s3    r =∞(ST)
d3=1.062
s4    r4*=-12.461
d4=0.875     N2=1.53048    ν2=55.72(FL2)
s5    r5*=-218.181
d5=0.349
s6    r6*=2.353
d6=0.858     N3=1.58340    ν3=30.23(FL3)
s7    r7*=1.986
d7=0.900
s8    r8=∞
d8=0.500     N4=1.51680    ν4=64.20(GF)
s9    r9=∞
Σd=5.813
【００４２】
［第１面（s1）の非球面データ］
ε=0.10945
A2=0.0, A3=0.0，A4=-0.26963×10-2, A5=0.0, A6=0.10004×10-2, A7=0.0, A8=-0.27325×10-3, A9=0.0, A10=-0.39829×10-3, A11=0.0，A12=0.0，A13=0.0，A14=0.0，A15=0.0，A16=0.0 
［第２面（s2）の非球面データ］
ε=-14.000
A2=0.0, A3=0.0，A4=-0.10487×10-1, A5=0.0, A6=-0.83800×10-3, A7=0.0, A8=0.37339×10-2, A9=0.0, A10=-0.58468×10-2, A11=0.0，A12=0.0，A13=0.0，A14=0.0，A15=0.0，A16=0.0 
［第４面（s4）の非球面データ］
ε=0.0
A2=0.0, A3=0.0，A4=0.14339×10-1, A5=0.0, A6=-0.47853×10-1, A7=0.0, A8=0.82075×10-2, A9=0.0, A10=-0.56518×10-2, A11=0.0，A12=0.0，A13=0.0，A14=0.0，A15=0.0，A16=0.0
［第５面（s5）の非球面データ］
ε=2.0000
A2=0.0, A3=0.0，A4=-0.84320×10-2, A5=0.0, A6=-0.23652×10-2, A7=0.0, A8=-0.19193×10-2, A9=0.0, A10=0.43603×10-3, A11=0.0，A12=0.0，A13=0.0，A14=0.0，A15=0.0，A16=0.0
［第６面（s6）の非球面データ］
ε=-4.0000
A2=0.0, A3=0.0，A4=-0.63281×10-1, A5=0.0, A6=0.12289×10-1, A7=0.0, A8=-0.89927×10-3, A9=0.0, A10=0.24895×10-4, A11=0.0，A12=0.0，A13=0.0，A14=0.0，A15=0.0，A16=0.0 
［第７面（s7）の非球面データ］
ε=-4.7955
A2=0.0, A3=0.0，A4=-0.39159×10-1, A5=0.0, A6=0.49158×10-2, A7=0.0, A8=-0.31112×10-3, A9=0.0, A10=0.13192×10-4, A11=0.0，A12=0.0，A13=0.0，A14=0.0，A15=0.0，A16=0.0 
【００４３】
【表１】
2006098429.tif 000003
【００４４】
以上の実施例では、全ての光学機能面を屈折光学面で構成しているが、屈折光学面以外の面（例えば反射面や回折面）を用いても良い。
【産業上の利用可能性】
【００４５】
以上説明したように本発明によれば、光学性能が良好で低コストかつコンパクトな固体撮像素子用の撮像レンズを実現することができる。従って、本発明に係る撮像レンズを携帯電話搭載のカメラやデジタルカメラ等のデジタル入力機器に用いれば、当該機器の高性能化，高機能化，低コスト化及びコンパクト化に寄与することができる。
【図面の簡単な説明】
【００４６】
【図１】第１実施形態(実施例１)の撮像レンズ系のレンズ構成図。
【図２】第２実施形態(実施例２)の撮像レンズ系のレンズ構成図。
【図３】実施例１の撮像レンズ系の収差図。
【図４】実施例２の撮像レンズ系の収差図。
【符号の説明】
【００４７】
FL1 ・・・第１レンズ
ST ・・・開口絞り
FL2 ・・・第２レンズ
FL3 ・・・第３レンズ
GF ・・・ガラスフィルター
AX ・・・光軸
【図１】
2006098429.tif 000004
【図２】
2006098429.tif 000005
【図３】
2006098429.tif 000006
【図４】
2006098429.tif 000007